(57)【要約】【課題】サーバの外部においてサーバの給電経路を制御する方式において、サーバが内蔵するＤＣ電源を使用しないときの電力効率を高める。【解決手段】サーバ１が、スイッチ手段３を介して供給される交流電力を直流電力に変換するＡＣ−ＤＣ変換回路１１と、直流電力の供給を受ける直流電力入力部１２とを備え、管理サーバ２が、サーバ１がＡＣ−ＤＣ変換回路１１からの直流電力を使用する状態と、サーバ１が直流電力入力部１２に入力された直流電力を使用する状態とを切り替えることを指示する信号をサーバに出力する切替指示出力手段２１と、切替指示出力手段２１がサーバ１に直流電力入力部１２に入力された直流電力を使用する状態に切り替えることを指示する信号を出力した後、スイッチ手段３を、交流電力を遮断する状態に設定するスイッチ設定手段２２とを備えている。【選択図】図４
2010200279.tif 000002
【特許請求の範囲】
【請求項１】
サーバと、サーバを管理する管理サーバとを含むサーバシステムであって、
前記サーバは、
スイッチ手段を介して供給される交流電力を直流電力に変換するＡＣ−ＤＣ変換回路と、
直流電力の供給を受ける直流電力入力部とを備え、
前記管理サーバは、
前記サーバが前記ＡＣ−ＤＣ変換回路からの直流電力を使用する状態と、前記サーバが前記直流電力入力部に入力された直流電力を使用する状態とを切り替えることを指示する信号を前記サーバに出力する切替指示出力手段と、
前記切替指示出力手段が前記サーバに前記直流電力入力部に入力された直流電力を使用する状態に切り替えることを指示する信号を出力した後、前記スイッチ手段を、交流電力を遮断する状態に設定するスイッチ設定手段とを備えた
ことを特徴とするサーバシステム。
【請求項２】
直流電力入力部は、ＬＡＮケーブルの差込口であり、
前記差込口に、ＬＡＮケーブルを介して直流電力を供給するＬＡＮ経由電力供給手段を備えた
請求項１記載のサーバシステム。
【請求項３】
ＬＡＮ経由電力供給手段は、ＰｏＥスイッチである
請求項２記載のサーバシステム。
【請求項４】
管理サーバは、ＰｏＥスイッチの電力供給状態を制御するＰｏＥスイッチ制御手段を含み、
切替指示出力手段は、前記ＰｏＥスイッチ制御手段が前記ＰｏＥスイッチを電力供給を行う状態に設定した時点から、所定時間経過後に、直流電力入力部に入力された直流電力を使用する状態に切り替えることを指示する信号を出力する
請求項３記載のサーバシステム。
【請求項５】
複数のサーバを含むサーバシステムであって、
切替指示出力手段は、前記複数のサーバのうち、消費電力を低下させたいサーバに対して、直流電力入力部に入力された直流電力を使用する状態に切り替えることを指示する信号を出力する
請求項１から請求項４のうちのいずれかに記載のサーバシステム。
【請求項６】
スイッチ手段を介して供給される交流電力を直流電力に変換するＡＣ−ＤＣ変換回路を有するサーバが管理サーバによって管理されるサーバシステムにおける前記管理サーバがサーバへの電力供給を制御する電力供給制御方法であって、
管理サーバが、
前記サーバの消費電力を低下させたいときに前記サーバが前記ＡＣ−ＤＣ変換回路からの直流電力を使用する状態から、前記サーバが前記直流電力入力部に入力された直流電力を使用する状態に切り替えることを指示する信号を前記サーバに出力し、
前記スイッチ手段を、交流電力を遮断する状態に設定する
ことを特徴とする電力供給制御方法。
【請求項７】
直流電力入力部としてのＬＡＮケーブルの差込口にＬＡＮケーブルを介して直流電力を供給するＰｏＥスイッチを電力供給を行う状態に設定した時点から、所定時間経過後に、直流電力入力部に入力された直流電力を使用する状態に切り替えることを指示する信号を出力する
請求項６記載の電力供給制御方法。
【発明の詳細な説明】
【技術分野】
【０００１】
本発明は、１つ以上のサーバを含むサーバシステム、およびサーバへの電力供給経路を制御する電力供給制御方法に関する。
【背景技術】
【０００２】
多数のサーバを運用しているデータセンタでは、サーバシステムの省電力化のために、サーバシステムに含まれるサーバのＤＣ電源（直流電源）のオン（ＯＮ）／オフ（ＯＦＦ）を制御することがある。このようなサーバシステムでは、サーバを管理する管理サーバが、稼働不要と判断した一部のサーバに信号を送信してサーバのＤＣ電源を動作させない状態（ＯＦＦの状態）に移行させ、ＤＣ電源が動作していないサーバを稼働させる必要が生じた場合には、当該サーバに信号を送信してＤＣ電源を動作させる状態（ＯＮの状態）に移行させる。
【０００３】
図５は、サーバのＤＣ電源をＯＮ／ＯＦＦするサーバシステムの構成例を示すブロック図である。図５に示すサーバシステムは、サーバ４００および管理用サーバ４１０を備えている。サーバ４００は、ＣＰＵ４０２が搭載されＬＡＮケーブル差込口４０３が設けられているマザーボード４０１、およびＤＣ電源としてのＡＣ−ＤＣコンバータ４０４を備えている。ＡＣ−ＤＣコンバータ４０４は、電源プラグ４３０を介してＡＣ電源（交流電源）から供給される交流電圧を直流電圧に変換し、マザーボード４０１等が消費する電力を供給する。管理用サーバ４１０は、ＬＡＮケーブルを介して、サーバ４００のＤＣ電源をＯＮ／ＯＦＦする制御信号を送信する。
【０００４】
サーバ４００のＤＣ電源は、通常時にはＯＮの状態になり、待機時にはＯＦＦの状態になる。サーバ４００は、待機時に、例えば、待機電力として１０Ｗを消費する。サーバ４００の待機電力が、通常時と同様にＡＣ電源から供給されることを想定すると、ＡＣ−ＤＣコンバータ４０４は、マザーボード４０１における動作部分に１０Ｗを供給するために、５０Ｗ程度の電力を必要とする。１０Ｗの電力を確保するために５０Ｗの電力を必要とすることは、効率的な電力供給とはいえない。つまり、待機時の消費電力が大きくなる。
【０００５】
ＤＣ電源がＯＦＦしているときに、マザーボード４０１における動作部分に電力を供給するために、バッテリ等を搭載することが考えられる。しかし、バッテリ等を搭載した場合には、サーバ設置部分に対するサーバの荷重が大きくなるので、バッテリ等を搭載することは好ましいことではない。また、バッテリ等をサーバの外部に設置した場合には、サーバの放熱を阻害するおそれがあるので、バッテリ等をサーバの外部に設置ことも好ましいことではない。
【０００６】
ＰｏＥ（Ｐｏｗｅｒ  ｏｖｅｒ  Ｅｔｈｅｒｎｅｔ（登録商標））機能を利用してサーバに給電を行うシステムがある（例えば、特許文献１，２参照）。ＰｏＥ機能を利用することによって、サーバ設置部分に対するサーバの荷重を大きくせず、また、サーバの放熱を阻害するおそれを生じさせないようにすることができる。
【先行技術文献】
【特許文献】
【０００７】
【特許文献１】特開２００６−２０３７３０号公報（段落００５１）
【特許文献２】特開２００７−２６０８３号公報（段落００１５）
【発明の概要】
【発明が解決しようとする課題】
【０００８】
しかし、特許文献１に記載されたシステムでは、受電装置は、ＬＡＮケーブルを介して供給される電力と、ＡＣ電源側から供給される電力とを切り替えて使用するが、切替のための条件は、供給される電力値の低下である。すなわち、受電装置に対して十分な電力を供給するために切替制御が実行され、システムにおける消費電力を小さくするために切替制御が実行されているわけではない。
【０００９】
また、特許文献２に記載されたシステムでは、ＬＡＮケーブルを介して供給される電力と、ＡＣ電源側（電源プラグ１３０側）から供給される電力とを切り替えて使用するが、切替のための条件は、電力効率である。すなわち、給電を受ける装置の動作状況に基づいて消費電力を見積もり、見積もった消費電力に対して電力効率が高い方の給電経路（ＡＣ電源側（電源プラグ１３０側）からの経路またはＬＡＮケーブルを介する経路）を選択する。なお、電力効率が高いとは、電源部において、入力電力値に対する出力電力値の比率が高いことである。
【００１０】
しかし、給電を受ける装置の動作状況に基づいて給電経路を選択するので、給電を受ける装置の外部において給電経路を選択することは困難である。給電を受ける装置の外部において給電を受ける装置の動作状況を把握することは容易ではないからである。
【００１１】
そこで、本発明は、サーバの外部において当該サーバの給電経路を制御する方式において、サーバが内蔵するＤＣ電源を使用しないときの電力効率を高めるサーバシステムおよび電力供給制御方法を提供することを目的とする。
【課題を解決するための手段】
【００１２】
本発明によるサーバシステムは、サーバと、サーバを管理する管理サーバとを含むサーバシステムであって、サーバが、スイッチ手段を介して供給される交流電力を直流電力に変換するＡＣ−ＤＣ変換回路と、直流電力の供給を受ける直流電力入力部とを備え、管理サーバが、サーバがＡＣ−ＤＣ変換回路からの直流電力を使用する状態と、サーバが直流電力入力部に入力された直流電力を使用する状態とを切り替えることを指示する信号をサーバに出力する切替指示出力手段と、切替指示出力手段がサーバに直流電力入力部に入力された直流電力を使用する状態に切り替えることを指示する信号を出力した後、スイッチ手段を、交流電力を遮断する状態に設定するスイッチ設定手段とを備えたことを特徴とする。
【００１３】
本発明による電力供給制御方法は、スイッチ手段を介して供給される交流電力を直流電力に変換するＡＣ−ＤＣ変換回路を有するサーバが管理サーバによって管理されるサーバシステムにおける管理サーバがサーバへの電力供給を制御する電力供給制御方法であって、管理サーバが、サーバの消費電力を低下させたいときにサーバがＡＣ−ＤＣ変換回路からの直流電力を使用する状態から、サーバが直流電力入力部に入力された直流電力を使用する状態に切り替えることを指示する信号をサーバに出力し、スイッチ手段を、交流電力を遮断する状態に設定することを特徴とする。
【発明の効果】
【００１４】
本発明によれば、本発明は、サーバの外部において当該サーバの給電経路を制御する方式において、サーバが内蔵するＤＣ電源を使用しないときの電力効率を高めることができる。
【図面の簡単な説明】
【００１５】
【図１】本発明によるサーバシステムの一実施形態の構成を示すブロック図である。
【図２】サーバのＤＣ電源をＯＦＦにする際の電力供給経路の制御を示すフローチャートである。
【図３】サーバのＤＣ電源をＯＮにする際の電力供給経路の制御を示すフローチャートである。
【図４】本発明によるサーバシステムの主要な構成部を示すブロック図である。
【図５】サーバのＤＣ電源をＯＮ／ＯＦＦするサーバシステムの構成例を示すブロック図である。
【発明を実施するための形態】
【００１６】
図１は、本発明によるサーバシステムの一実施形態の構成を示すブロック図である。図１を参照して、本発明による一実施形態のサーバシステムの構成を説明する。
【００１７】
サーバ１００は、１つまたは複数のＣＰＵ１０２が搭載されているマザーボード１０１、およびＡＣ−ＤＣコンバータ１０４を備えている。図１に示す例では、マザーボード１０１に、２つのＣＰＵ１０２が搭載されている。また、マザーボード１０１には、ＬＡＮケーブル差込口１０３が設けられている。ＬＡＮケーブル差込口１０３は、ＰｏＥ機能に対応したＬＡＮケーブルの差込口で、ＬＡＮケーブルを経由して受電可能である。ＡＣ−ＤＣコンバータ１０４は、サーバ１００の通常稼働時に、マザーボード１０１に搭載されている電子部品等が消費する電力を供給する。ＡＣ−ＤＣコンバータ１０４は、ＡＣ電源から電源プラグ１３０およびリレー１３１を経由して供給される交流電圧を直流電圧に変換する。スイッチ手段としてのリレー１３１は、導通状態ではＡＣ電源からの電流を通過させ、遮断状態ではＡＣ電源からの電流を遮断する。
【００１８】
サーバ１００は、ＤＣ電源がＯＦＦの時には例えば待機電力として１０Ｗを消費する。サーバ１００が必要とする１０Ｗの電力がＡＣ電源から供給される場合を想定すると、図５に示されたサーバシステムと同じように、ＡＣ電源から５０Ｗ程度の電力を受ける必要がある。しかし、ＰｏＥスイッチ１２０から供給する場合には、ＰｏＥスイッチ１２０から１５Ｗ程度の電力が供給されればよい。
【００１９】
ＰｏＥスイッチ１２０は、電源プラグ１２２を介してＡＣ電源から得た電力の一部を、ＬＡＮポート１２１からＬＡＮケーブルを介して、ＰｏＥ機能を備えた接続先に供給する。ＰｏＥスイッチ１２０は、管理サーバ１１０からＯＮ／ＯＦＦ制御可能な給電機能を有し、１５Ｗ程度の電力をＬＡＮポート１２１に接続されたＬＡＮケーブルの接続先に供給可能である。ＰｏＥスイッチ自身は通常５Ｗ程度の電力を消費するとする。
【００２０】
管理サーバ１１０は、プログラムに従って処理を実行するＣＰＵ（図示せず）を含む。また、管理サーバ１１０は、ＰｏＥスイッチ１２０にＬＡＮケーブルで接続されている。管理サーバ１１０は、サーバ１００のＤＣ電源のＯＮ／ＯＦＦを制御する制御信号を送信する。管理サーバ１１０から送信された制御信号は、ＬＡＮケーブルによってＰｏＥスイッチ１２０を経由してサーバ１００に送信される。
【００２１】
また、管理サーバ１１０は、サーバ１００のＤＣ電源のＯＮ／ＯＦＦを制御する信号の送信に対応して、リレー１３１の導通／遮断の制御を行うとともに、ＰｏＥスイッチの電力供給状態を制御する。
【００２２】
すなわち、管理サーバが制御信号としてＤＣ電源ＯＮ信号を送信する場合には、管理サーバ１１０は、リレー１３１を導通状態に設定し、ＰｏＥスイッチの給電状態を電力非供給状態にする。換言すれば、サーバ１００への給電経路（電力供給経路）をＡＣ電源側（電源プラグ１３０側）からの経路にする。また、管理サーバ１１０が制御信号としてＤＣ電源ＯＦＦ信号を送信する場合には、管理サーバ１１０は、リレー１３１を遮断状態に設定し、ＰｏＥスイッチの給電状態を電力供給状態にする。すなわち、サーバ１００への電力供給経路をＰｏＥスイッチ側からの経路にする。
【００２３】
なお、図１に示すサーバシステムでは、１台の管理サーバ１１０が１台のサーバ１００を管理しているが、１台の管理サーバ１１０が複数台のサーバを管理してもよい。
【００２４】
図２は、サーバの電力供給経路の制御を示すフローチャートである。図２を参照して、図１に示されたサーバシステムにおいて、サーバ１００のＤＣ電源をＯＦＦにする際の電力供給経路の制御を説明する。
【００２５】
管理サーバ１１０は、電力供給経路を、ＡＣ電源側（電源プラグ１３０側）からの経路からＰｏＥスイッチ側からの経路に変更する場合に、管理サーバ１１０に搭載されている制御ソフトウェアに従って、ＰｏＥスイッチの給電状態を電力供給状態にする切替信号を送信する（ステップＳ１）。ＰｏＥスイッチ１２０は、管理サーバ１１０から切替信号を受信すると（ステップＳ２）、ＰｏＥスイッチ１２０のＬＡＮポート１２１の給電機能をＯＮにする。その結果、ＰｏＥスイッチ１２０からＬＡＮポート１２１およびＬＡＮケーブル差込口１０３を経由してマザーボード１０１に電力が供給される（ステップＳ４）。
【００２６】
管理サーバ１１０は、ＰｏＥスイッチの給電状態を電力供給状態にする切替信号を送信した時点からあらかじめ決められている所定時間Ｔ０が経過すると、制御ソフトウェアに従って、ＤＣ電源ＯＦＦ信号をサーバ１００に送信する（ステップＳ５）。サーバ１００は、ＤＣ電源ＯＦＦ信号を受信すると、内部のＤＣ電源をＯＦＦ状態にする（ステップＳ６）。
【００２７】
次いで、管理サーバ１１０は、ＤＣ電源ＯＦＦ信号を送信した時点からあらかじめ決められている所定時間Ｔ１が経過すると、リレー１３１を遮断状態に設定するために、リレー１３１に遮断指示信号を送信する（ステップＳ７）。リレー１３１は、遮断指示信号を受信すると（ステップＳ８）、接点を遮断状態にして、ＡＣ電源とＡＣ−ＤＣコンバータ１０４との間を遮断する（ステップＳ８）。
【００２８】
以上の処理によって、サーバ１００への電力供給経路は、ＡＣ電源側（電源プラグ１３０側）からの経路から、ＰｏＥスイッチ側からの経路に切り替わる。
【００２９】
なお、サーバ１００の再起動時（リブート時）には、管理サーバ１１０に搭載されている制御ソフトウェアは実行されない。
【００３０】
図３は、サーバのＤＣ電源をＯＮにする際の電力供給経路の制御を示すフローチャートである。図３を参照して、図１に示されたサーバシステムにおいて、サーバ１００のＤＣ電源をＯＮにする際の電力供給経路の制御を説明する。
【００３１】
管理サーバ１１０は、電力供給経路を、ＰｏＥスイッチ側からの経路からＡＣ電源側（電源プラグ１３０側）からの経路に変更する場合に、制御ソフトウェアに従って、リレー１３１に導通指示信号を送信する（ステップＳ１０）。リレー１３１は、管理サーバ１１０から導通指示信号を受信すると（ステップＳ１１）、接点を導通状態にして、ＡＣ電源とＡＣ−ＤＣコンバータ１０４との間を導通状態にする。その結果、ＡＣ電源からリレー１３１およびＡＣ−ＤＣコンバータ１０４を経由してマザーボード１０１に電力供給が可能な状態になる（ステップＳ１２）。
【００３２】
導通指示信号を送信した時点からあらかじめ決められている所定時間Ｔ２が経過すると、管理サーバ１１０は、制御ソフトウェアの制御に従って、サーバ１００にＤＣ電源ＯＮ信号を送信する（ステップＳ１３）。サーバ１００は、ＤＣ電源ＯＮ信号を受信すると、内部のＤＣ電源をＯＮにする（ステップＳ１４）。
【００３３】
管理サーバ１１０は、制御ソフトウェアの制御に従って、ＤＣ電源ＯＮ信号を送信すると同時に、ＰｏＥスイッチの給電状態を電力非供給状態にする切替信号を送信する（ステップＳ１５）。ＰｏＥスイッチ１２０は、管理サーバ１１０から切替信号を受信すると（ステップＳ１６）、ＬＡＮポート１２１の給電機能をＯＦＦにし（ステップＳ１７）、ＰｏＥスイッチからＬＡＮポート１２１を経由する電力供給を停止する（ステップＳ１８）。
【００３４】
以上の処理によって、サーバ１００への電力供給経路は、ＰｏＥスイッチ側からの経路からＡＣ電源側（電源プラグ１３０側）からの経路に切り替わる。
【００３５】
以上に説明したように、サーバ１００のＤＣ電源をＯＦＦにした時には、ＰｏＥスイッチ経由で電力がサーバ１００に供給されるように電力供給経路が切り替えられるので、消費電力は、ＡＣ電源経由で待機電力を確保する場合に比べて低減する。例えば、ＡＣ電源経由の場合には５０Ｗ程度の電力が必要となるが、ＰｏＥスイッチ経由の場合には、ＰｏＥスイッチ１２０自身が消費する電力（５Ｗ）を考慮しても、２０Ｗ程度の電力で済む。すなわち、サーバシステム全体において、消費電力を低減することができる。
【００３６】
また、サーバシステムにおいて、サーバ１００に対する電力供給経路の切替制御は、管理サーバ１１０から送信されるＤＣ電源のＯＮ／ＯＦＦ信号に関連して実行される。サーバ１００を再起動する場合には、管理サーバ１１０は、ＤＣ電源のＯＮ／ＯＦＦ信号をサーバ１００に送信するのではなく、再起動信号をサーバ１００に送信する。例えば、サーバ１００が、自身の消費電力量を計測し、計測した消費電力量に基づいて電力供給経路を切り替える制御を実行する場合には、サーバ１００の再起動時等に消費電力量が一時的に低下したこと等に起因して、本来必要ではない電力供給経路の切替がなされてしまうおそれがある。しかし、本実施形態では、そのようなおそれはない。
【００３７】
また、本実施形態のサーバシステムでは、サーバ１００のＤＣ電源がＯＦＦの時でも、管理サーバ１１０は、サーバ１００のマザーボード４０１に電力を供給しているＬＡＮケーブルを介してデータの送受を行うことができる。従って、例えば、管理サーバ１１０は、サーバ１００のＤＣ電源がＯＦＦの時でも、サーバに組み込まれているシステム管理用コントローラ（ＢＭＣ：Baseboard Management Controller ）からファンの回転数等の情報を取得することができる。
【００３８】
さらに、本発明によるサーバシステムが、１台の管理サーバが、複数台のサーバを管理するサーバシステムである場合には、１台の管理サーバが複数台のサーバの電力供給経路を制御できる。すなわち、１台の管理サーバの制御ソフトウェアによって一括して電力供給経路の管理を行うことができる。つまり、複数台のサーバのうちの一部の消費電力を低下させることによってシステムの省電力を図る場合に、１台の管理サーバによって省電力運用を実現することができる。よって、各サーバごとに電力供給経路の切り替え機構を構築する場合に比べて、サーバシステムのコストを低くすることができる。
【００３９】
なお、本実施形態のサーバシステムでは、ＰｏＥスイッチからの電力供給消経路を用いたが、ＰｏＥスイッチの代わりに、サーバに待機電力供給用のバッテリを搭載したり待機電力供給用の直流電源を受電する電源ケーブル口を作ったりして、供給電力の適性値の異なる複数の電力供給経路を確保し、管理サーバがそれらの電力供給経路を切り替えて電力を供給するようにしてもよい。
【００４０】
図４は、本発明によるサーバシステムの主要な構成部を示すブロック図である。図４に示すように、サーバシステムにおいて、サーバ１が、スイッチ手段３（例えば、図１に示すリレー１３１に相当）を介して供給される交流電力を直流電力に変換するＡＣ−ＤＣ変換回路１１（例えば、図１に示すＡＣ−ＤＣコンバータ１０４に相当）と、直流電力の供給を受ける直流電力入力部１２（例えば、図１に示すＬＡＮケーブル差込口に相当）とを備え、管理サーバ２が、サーバ１がＡＣ−ＤＣ変換回路１１からの直流電力を使用する状態と、サーバ１が直流電力入力部１２に入力された直流電力を使用する状態とを切り替えることを指示する信号をサーバに出力する切替指示出力手段２１（例えば、プログラムに従って処理を実行するＣＰＵで実現される。）と、切替指示出力手段２１がサーバ１に直流電力入力部１２に入力された直流電力を使用する状態に切り替えることを指示する信号を出力した後、スイッチ手段３を、交流電力を遮断する状態に設定するスイッチ設定手段２２（例えば、プログラムに従って処理を実行するＣＰＵで実現される。）とを備えている。
【００４１】
また、上記の実施形態では、以下の（１）〜（４）に示すようなサーバシステムも開示されている。
【００４２】
（１）直流電力入力部は、ＬＡＮケーブルの差込口であり、差込口に、ＬＡＮケーブルを介して直流電力を供給するＬＡＮ経由電力供給手段（例えば、図１に示すＰｏＥスイッチ１２０に相当）を備えたサーバシステム。
【００４３】
（２）ＬＡＮ経由電力供給手段が、ＰｏＥスイッチであるサーバシステム。
【００４４】
（３）管理サーバが、ＰｏＥスイッチの電力供給状態を制御するＰｏＥスイッチ制御手段（例えば、プログラムに従って処理を実行するＣＰＵで実現される。）を含み、切替指示出力手段が、ＰｏＥスイッチ制御手段がＰｏＥスイッチを電力供給を行う状態に設定した時点から、所定時間経過後に、直流電力入力部に入力された直流電力を使用する状態に切り替えることを指示する信号を出力するサーバシステム。
【００４５】
（４）複数のサーバを含み、切替指示出力手段が、複数のサーバのうち、消費電力を低下させたいサーバに対して、直流電力入力部に入力された直流電力を使用する状態に切り替えることを指示する信号を出力するサーバシステム。
【符号の説明】
【００４６】
１      サーバ
２      管理サーバ
１１    ＡＣ−ＤＣ変換回路
１２    直流電力入力部
２１    切替指示出力手段
２２    切替指示出力手段
１００、４００  サーバ
１０１、４０１  マザーボード
１０２、４０２  ＣＰＵ
１０３、４０３  ＬＡＮケーブル差込口
１０４、４０４  ＡＣ−ＤＣコンバータ
１１０、４１０  管理サーバ
１２０  ＰｏＥスイッチ
１２１  ＬＡＮポート
１２２、１３０、４３０  電源プラグ
１３１  リレー
【図１】
2010200279.tif 000003
【図２】
2010200279.tif 000004
【図３】
2010200279.tif 000005
【図４】
2010200279.tif 000006
【図５】
2010200279.tif 000007